(57)【要約】【課題】ワンルームマンションの新築・改築工事等を、多くの職人及び手間を要することなく簡易迅速に行うことが可能な、住宅設備短期施工方法を提供することを課題とする。【解決手段】電気温水器２と配電ボックス３とを備えたユニットボックス１を、コンクリート床上の所定個所に配置する工程、洗面台、トイレ等の湯水を用いる設備を設置する個所のうちの一個所又は複数個所に、排出ポンプを備えた汚水タンク９を設置する工程、各設備を所定個所に配置して所定高さに保持する工程、汚水タンクを設置しなかった設備のそれぞれから延ばした可撓性排水ホース１１を汚水タンクに接続する工程、湯水の必要な設備に前記電気温水器から延ばした可撓性給湯・給水ホースを接続する工程、床貼りする工程、電源の必要な設備からの電気コードを配電ボックスにまで延ばす工程、及び、電気温水器に水道本管を接続し、配電ボックスに外部電気配線を接続する工程から成る。【選択図】図３
2009191556.tif 000002
【特許請求の範囲】
【請求項１】
電気温水器と、複数のスイッチ及びコンセントを有していて前記電気温水器に接続される配電ボックスとを備えたユニットボックスを、工事現場に搬入してコンクリート床上の所定個所に配置する工程、
洗面台、トイレ、流し、ユニットバス等の湯水を用いる設備を設置する個所のうちの一個所又は複数個所に、排出ポンプを備えた汚水タンクを設置し、前記汚水タンクを室外汚水管に接続する工程、
前記各設備を所定個所に配置して所定高さに保持する工程、
前記汚水タンク設置工程において汚水タンクを設置しなかった設備のそれぞれから延ばした可撓性排水ホースを前記汚水タンクに接続する工程、
湯水の必要な設備に前記電気温水器から延ばした可撓性給湯ホース及び可撓性給水ホースを接続する工程、
前記各設備を設置する個所を考慮して床貼りする工程、
電源の必要な設備からの電気コードを前記配電ボックスにまで延ばす工程、及び、
前記電気温水器に水道本管を接続すると共に、前記配電ボックスに外部電気配線を接続する工程
を含むことを特徴とする住宅設備短期施工方法。
【請求項２】
前記ユニットボックスは、電気温水器と配電ボックスとを備えていて、前記電気温水器には外部の水道に連結される入水管が接続され、前記電気温水器からは、前記可撓性給湯ホースが洗面台、流し、ユニットバスその他の給湯が必要な設備へ延ばされて接続され、前記入水管は分岐され、前記分岐から更に分岐されて延びる可撓性給水ホースがそれぞれ洗面台、流し、ユニットバス、トイレ、洗濯機等の給水が必要な設備に延ばされ、また、前記配電ボックスに外部電気配線が接続される、請求項１に記載の住宅設備短期施工方法。
【請求項３】
下側に前記汚水タンクを設置する設備の選択は、各設備の故障修理の頻度を考慮して行う、請求項1に記載の住宅設備短期施工方法。
【請求項４】
室内に露出している前記可撓性給湯ホース及び給水ホース並びに前記電気コードを適宜被覆材で被覆する工程を更に含む、請求項1に記載の住宅設備短期施工方法。
【発明の詳細な説明】
【技術分野】
【０００１】
本発明は、住宅設備短期施工方法、より詳細には、ワンルームマンションの新築や改築、あるいは、店舗、事務所、倉庫等に、複数の住宅設備を短期間のうちに施工するための施工方法に関するものである。
【背景技術】
【０００２】
例えば、ワンルームマンションは間取りがシンプルで、設置される住宅設備も大体決まったものであるため、その新築工事や改築工事は比較的短期間で行われる。それでも工事に数ヶ月を要することが少なくない。それは、設置する住宅設備として洗面台、流し、ユニットバス等のように給湯や給水が必要な設備が多く、そのために給湯・給水設備工事や排水設備工事に時間がかかるからである。そして、工事期間が長いと、その分作業コストがかさむことになる。
【０００３】
また、汚水排出手段としては、自然流下方式を採用することが最も簡便であるが、そのためには、７５〜１００Φの太径の排水管を用い、且つ、排水管に十分な勾配を持たせる必要がある。そして、排水管に十分な勾配を持たせるためには、その分のスペース（高さ）が必要となるが、床下にそのための十分なスペースが取れないことが少なくない。その場合において止むを得ず勾配を緩やかなものとすると、スムーズに排水が行われず、排水管が詰まりやすくなる。また、その場合の対策として床を高くすることが考えられるが、そのようにした場合は、室内空間が狭まるという問題が起こる。
【０００４】
更に、上記湯水供給手段と排水手段の設置に当たっては、水道工事等の職人が必要となり、また、配電盤を設置したり、室内の複数個所にコンセントを配置したりする電気工事のための職人も必要となり、その日程のやりくりなどによっても時間がかさむ。
【０００５】
【特許文献１】特開２００６−４５９４５号公報
【特許文献２】特開平８−４９４３２号公報
【発明の開示】
【発明が解決しようとする課題】
【０００６】
上述したように、従来のワンルームマンションの新築・改築工事の場合は、工事に手間がかかって工事期間が長引き、その分作業コストがかさむおそれがあった。そこで本発明は、ワンルームマンションの新築・改築工事、あるいは、店舗、事務所、倉庫等の非居住空間を居住空間に変更するための工事を、多くの職人及び手間を要することなく簡易迅速に、即ち、１日か数日で行うことを可能にした、住宅設備短期施工方法を提供することを課題とする。
【課題を解決するための手段】
【０００７】
上記課題を解決するための請求項１に記載の発明は、電気温水器と、複数のスイッチ及びコンセントを有していて前記電気温水器に接続される配電ボックスとを備えたユニットボックスを、工事現場に搬入してコンクリート床上の所定個所に配置する工程、洗面台、トイレ、流し、ユニットバス等の湯水を用いる設備を設置する個所のうちの一個所又は複数個所に、排出ポンプを備えた汚水タンクを設置し、前記汚水タンクを室外汚水管に接続する工程、前記各設備を所定個所に配置して所定高さに保持する工程、前記汚水タンク設置工程において汚水タンクを設置しなかった設備のそれぞれから延ばした可撓性排水ホースを前記汚水タンクに接続する工程、湯水の必要な設備に前記電気温水器から延ばした可撓性給湯ホース及び可撓性給水ホースを接続する工程、前記各設備を設置する個所を考慮して床貼りする工程、電源の必要な設備からの電気コードを前記配電ボックスにまで延ばす工程、及び、前記電気温水器に水道本管を接続すると共に、前記配電ボックスに外部電気配線を接続する工程を含むことを特徴とする住宅設備短期施工方法である。
【０００８】
一実施態様においては、前記設備ユニットは電気温水器と配電ボックスとを備えていて、前記電気温水器には外部の水道に連結される入水管が接続され、前記電気温水器からは、可撓性給湯管が洗面台、流し、ユニットバス等の給湯が必要な設備へ延ばされて接続され、前記入水管は分岐され、該分岐管は洗面台、流し、ユニットバス、トイレ、洗濯機等の給水が必要な設備に延びる可撓性給水管が設置され、また、前記配電ボックスに外部電気配線が接続される
【０００９】
また、好ましくは、下側に前記汚水タンクを設置する設備の選択は、各設備の故障修理の頻度を考慮して行い、室内に露出している前記可撓性ホース及び前記電気コードを適宜被覆材で被覆する工程を更に含む。
【発明の効果】
【００１０】
本発明は上述したとおりであって、本発明に係る住宅設備短期施工方法によれば、ワンルームマンションの新築・改築工事、あるいは、店舗、事務所、倉庫等の非居住空間を居住空間に変更するための住宅設備設置工事を、多くの職人及び手間を要することなく簡易迅速に、即ち、1日か数日の短期間で行うことが可能となる効果がある。
【発明を実施するための最良の形態】
【００１１】
以下に、本発明を実施するための最良の形態について、図面に依拠して説明する。本発明に係る居住空間施工方法は、少なくとも次の各工程を含み、通例それらの工程は、限定的ではないが、以下に記載した順に実施される。
【００１２】
（１）電気温水器２と、複数のスイッチ２４及びコンセント２３を有していて電気温水器２に接続される配電ボックス３とを備えたユニットボックス１を工事現場に搬入して、コンクリート床３０上の所定個所に配置する第１工程
（２）洗面台４、トイレ５、流し、ユニットバス６等の湯水を用いる設備を設置する個所のうちの一個所又は複数個所のコンクリート床３０上に、排出ポンプ８を備えた汚水タンク９を設置し、汚水タンク９を室外汚水管１０に接続する第２工程
（３）前記各設備を所定個所に配置し、所定高さに保持する第３工程
（４）汚水タンク９の設置工程において汚水タンク９を設置しなかった設備から延ばした可撓性排水パイプ１１を、それぞれ汚水タンク９に接続する第４工程
（５）湯水の必要な設備に、電気温水器２から延ばした可撓性給湯ホース１２と、電気温水器２に接続される入水管１７から分岐させた可撓性給水ホース２１とを接続する第５工程
（６）前記各設備を設置する個所を考慮して床貼りする第６工程
（７）電源の必要な設備からの電気コード１３を配電ボックスにまで延ばし、必要に応じて、室内に露出している可撓性湯水ホース１２、２１及び電気コード１３を、適宜被覆材で被覆する第７工程
（８）電気温水器２の入水管１７に、可撓性入水ホース１８を介して水道本管を接続すると共に、配電ボックス３に外部電気配線１６を接続する第８工程
【００１３】
ユニットボックス１は、底部にキャスター７を取り付ける等して移動可能にすることが好ましい。電気温水器２の下部には入水管１７が設置され、ユニットボックス１外に出る入水管１７の端部には可撓性入水ホース１８が接続され、可撓性入水ホース１８は外部水道本管に接続される。かくして電気温水器２内には外部水道本管からの入水が可能となる。この電気温水器２内への入水は、液面センサ等を用いることにより、常時所定量以上の貯水量が確保されるように制御されることができる。
【００１４】
入水管１７はユニットボックス１内において分岐させ、分岐管２０の先端には、更に分岐させるように複数の可撓性給水ホース２１を設置し、各可撓性ホース２１はそれぞれ、水を使用する洗面台４、流し、ユニットバス６、トイレ５、洗濯機等のカランに接続する。
【００１５】
外部電源に接続される配電ボックス３には、各設備から延びる電源コードを差込むための複数のコンセント２３と、各コンセント２３の入切切替えを行う各コンセント２３に対応する複数のスイッチ２４が配備される。また、配電ボックス３は、電気温水器２のヒータに直結される。
【００１６】
上記第１工程は、上記構成のユニットボックス１をトラック等によって現場に輸送し、ホイール７を利用して施工場所に押送してコンクリート床３０上に配置する工程である。
【００１７】
第２工程は、湯水を用いる設備のうち、室外汚水管に接続される汚水タンク９を設置するものを選択し、当該設備を設置する予定の場所のコンクリート床３０上に汚水タンク９を配置する工程である。汚水タンク９を設置するのは通例１つの設備で足り、例えば洗面台４とする。ここで洗面台４を選択するのは、洗面台４はトイレ５等と比べて故障修理の頻度が少ないからであり、汚水タンク９を有しない他の設備の修理、交換等を簡便化するためである。
【００１８】
汚水タンク９には、排出口８ａが室外汚水管に接続される排出ポンプ８が配備され、汚水タンク９内に貯まった汚水は、排出ポンプ８によって適時強制的に排出される。従って、汚水タンク９は、室外汚水管に対し、十分に高位置に配置する必要はなく、結果的に床１４の位置を低く抑えることになるので、居住空間を広く取れる。
【００１９】
第３工程は、第２工程において下に汚水タンク９を設置した設備以外の各設備を、所定設置個所において、所定高さに保持する工程である。ここにおいて各設備を所定高さに保持するために、高さ調整可能な台１０を用いることができる（図１）。
【００２０】
第４工程は、第２工程において下に汚水タンク９を設置した設備以外の設備の排水用の可撓性排水ホース１１を、それぞれ汚水タンク９に接続する工程である（図２）。この場合の可撓性排水ホース１１を通しての汚水タンク９への排出は、自然流下式である。
【００２１】
第５工程は、温水を必要とする設備に電気温水器２から延ばした可撓性湯水ホース１２、２１を接続する工程で、かくして各設備に対し、所望の時に必要量の湯と水を供給することが可能となる。
【００２２】
第６工程は、上記のようにして配置した各設備を考慮して、即ち、各設備を避けるようにして床１４を貼る工程である。
【００２３】
第７工程は、電源の必要な設備からの電気コードを配電ボックス３にまで延ばし、必要に応じ、配電ボックス３に接続後又は接続する前に、露出部分を適宜被覆材で被覆する工程である。また、同時に、室内に露出している可撓性湯水ホース１２、２１を被覆する。
【００２４】
そして、最終工程である第８工程において、電気温水器２に水道本管を接続し、また、配電ボックス３に外部電気配線を接続して工事完了となる（図３）。上記工事は、最短１日で終わらせることができる。
【００２５】
なお、上記各工程の手順はあくまで一般的なものであって、これに限られる訳ではなく、状況に応じ、適宜異なる順序で行い得ることはいうまでもない。
【００２６】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００２７】
【図１】本発明に係る住宅設備短期施工方法の第２工程を示す図である。
【図２】本発明に係る住宅設備短期施工方法の第４工程を示す図である。
【図３】本発明に係る住宅設備短期施工方法の第８工程を示す図である。
【符号の説明】
【００２８】
１      ユニットボックス  
２      電気温水器
３      配電ボックス
４      洗面台
５      トイレ
６      ユニットバス
７      キャスター
８      排出ポンプ
８ａ    排出口
９      汚水タンク
１０    台    
１１    可撓性排水ホース
１２    可撓性給湯ホース
１４    床
１７    入水管
１８    可撓性入水ホース
２０    分岐管
２１    可撓性給水ホース
２３    コンセント
２４    スイッチ
３０    コンクリート床
【図１】
2009191556.tif 000003
【図２】
2009191556.tif 000004
【図３】
2009191556.tif 000005